(57)【特許請求の範囲】
【請求項１】
リール本体に設けられた操作軸に連結され、前記リール本体のフレームおよび外側板の上方に延出するアーム部と、前記アーム部に固定され、前記フレームおよび前記外側板の上方に配置される操作ノブと、を含む操作レバーを備えた魚釣用リールであって、
前記アーム部と前記操作ノブには、固定時の前記操作ノブの回転を規制する回り止め規制部が設けられており、
前記操作ノブは、前記回り止め規制部を介して前記アーム部に左右方向から着脱可能であり、
前記回り止め規制部は、前記アーム部と前記操作ノブとの一方に設けられた孔からなる受け部と、他方に設けられ前記受け部に挿入される係合突部とを備えており、
前記受け部は、内周面の一部に平面を有しており、
前記係合突部は、外周面の一部に前記受け部の平面に当接する平面を有していることを特徴とする魚釣用リール。
【請求項２】
前記回り止め規制部は、前記アーム部と、前記操作ノブとの連結部分に設けられていることを特徴とする請求項１に記載の魚釣用リール。
【請求項３】
釣糸の係止が可能な環状の弾性部材を備え、
前記弾性部材は、前記操作ノブの外周に設けられた環状の凹部内に装着されることを特徴とする請求項１または請求項２に記載の魚釣用リール。
【請求項４】
釣糸の係止が可能な環状の弾性部材を備え、
前記弾性部材は、前記アーム部と前記操作ノブとの間に挟持されることを特徴とする請求項１または請求項２に記載の魚釣用リール。
【請求項５】
魚釣用リールに備わる操作用のアーム部に固定され、リール本体のフレームおよび外側板の上方に配置される魚釣用リールの操作ノブであって、
前記アーム部の取付部に係合し、固定時の回転を規制する回り止め規制部を備え、
前記回り止め規制部を介して前記アーム部に左右方向から着脱可能であり、
前記回り止め規制部は、
前記取付部が挿入される孔であって内周面の一部に回り止めとして機能する平面を有する受け部、または前記取付部に挿入される突部であって外周面の一部に回り止めとして機能する平面を有する係合突部を備えることを特徴とする魚釣用リールの操作ノブ。
【発明の詳細な説明】
【技術分野】
【０００１】
本発明は、魚釣用リールおよび魚釣用リールの操作ノブに関するものである。
【背景技術】
【０００２】
従来、両軸型の魚釣用リールとしては、スプ−ルを巻き取り駆動可能にするクラッチオン位置と、スプールをフリー状態にするクラッチオフ位置とに切り換えるクラッチ機構を備えたものが知られている（例えば、特許文献１参照）。
クラッチ機構は、例えば、リール本体の外側板に設けられたクラッチレバーを備えており、このクラッチレバーの操作によってクラッチオン位置とクラッチオフ位置とに切り換えることができる。クラッチレバーは、アーム部と、アーム部の端部に固着された操作ノブとを備えている。アーム部と操作ノブとは、強度を確保するためにカシメ等によって固着されている。また、アーム部と操作ノブとを鍛造成形によって一体に形成したものも知られている。
【０００３】
キャスティング操作時には、操作ノブに指を当ててクラッチオフ位置にクラッチレバーを操作し、釣糸の放出を行う。釣糸放出操作の終了後には、ハンドルを回転操作することで、クラッチオン位置にクラッチレバーが戻され、クラッチ機構が復帰される。
【０００４】
ところで、両軸型の魚釣用リールを用いた釣りとして、近年、重いジグと呼ばれるルアーを高速で巻き取るジギング釣りが人気である。ジギング釣りでは、釣竿をシャクリつつ手でハンドルのツマミを握持して高速で回転操作し、クラッチレバーを操作してクラッチオフ位置にして釣糸の放出を行い、その後、クラッチオン位置にしてシャクリを繰り返す操作が行われる。例えば、底取りを意識したジギング釣りでは、海底の起伏に合わせてジグを上下させるために、クラッチのオンオフ操作が頻繁に繰り返される。
【先行技術文献】
【特許文献】
【０００５】
【特許文献１】特開２０１２−１００６２４号公報
【発明の概要】
【発明が解決しようとする課題】
【０００６】
ところで、前記のようにクラッチのオンオフ操作が頻繁に繰り返される釣りでは、操作性向上の観点から、釣人の操作し易い位置にクラッチレバーの操作ノブが配置されることが望ましい。しかしながら、操作し易い位置は、釣人それぞれで異なるため、各釣人の好みやニーズに対応しようとすると、数種類の魚釣用リールを用意しなければならず、コスト高となってしまう。このことは、魚釣用リールに備わるその他の操作レバーについて、ニーズに対応しようとした場合にも同様である。なお、釣人のニーズに対応してクラッチレバーの全体を交換することも考えられるが、クラッチレバー全体の取り外し作業や取り付け作業が煩雑であるとともにコスト面からも好ましくない。
【０００７】
本発明は、前記課題を解決するためになされたものであり、釣人のニーズに対応した操作レバーを安価にしかも簡単に変更することができ、操作性の向上を図ることができる魚釣用リールおよび魚釣用リールの操作ノブを提供することを目的とする。
【課題を解決するための手段】
【０００８】
前記目的を達成するために本発明の魚釣用リールは、リール本体に設けられた操作軸に連結され、前記リール本体のフレームおよび外側板の上方に延出するアーム部と、前記アーム部に固定され、前記フレームおよび前記外側板の上方に配置される操作ノブと、を含む操作レバーを備えた魚釣用リールであって、前記アーム部と前記操作ノブには、固定時の前記操作ノブの回転を規制する回り止め規制部が設けられており、前記操作ノブは、前記回り止め規制部を介して前記アーム部に左右方向から着脱可能であり、前記回り止め規制部は、前記アーム部と前記操作ノブとの一方に設けられた孔からなる受け部と、他方に設けられ前記受け部に挿入される係合突部とを備えており、前記受け部は、内周面の一部に平面を有しており、前記係合突部は、外周面の一部に前記受け部の平面に当接する平面を有していることを特徴とする。
【０００９】
この魚釣用リールによれば、アーム部に対して操作ノブが着脱可能であるので、釣人の好みやニーズに合わせて操作ノブを付け替えることができる。また、回り止め規制部によって、アーム部に対して回り止め規制された状態に操作ノブを固定することができる。
【００１０】
また、前記回り止め規制部は、前記アーム部と、前記操作ノブとの連結部分に設けられているとよい。このようにすると、アーム部に操作ノブを連結する際に、アーム部に操作ノブが回り止め規制されて固定される。
【００１１】
また、釣糸の係止が可能な環状の弾性部材を、前記操作ノブの外周に設けられた環状の凹部内に装着するのがよい。このようにすると、環状の弾性部材を用いて操作ノブに釣糸を係止することができる。
【００１２】
また、釣糸の係止が可能な環状の弾性部材を、前記アーム部と前記操作ノブとの間に挟持するのがよい。このようにすると、アーム部と操作ノブとに挟まれて弾性部材が軸方向に潰れる状態となり、釣糸の保持力を増大させることができる。
【００１３】
また、本発明の魚釣用リールの操作ノブは、魚釣用リールに備わる操作用のアーム部に固定され、リール本体のフレームおよび外側板の上方に配置される魚釣用リールの操作ノブであって、前記アーム部の取付部に係合し、固定時の回転を規制する回り止め規制部を備え、前記回り止め規制部を介して前記アーム部に左右方向から着脱可能であり、前記回り止め規制部は、前記取付部が挿入される孔であって内周面の一部に回り止めとして機能する平面を有する受け部、または前記取付部に挿入される突部であって外周面の一部に回り止めとして機能する平面を有する係合突部を備えることを特徴とする。
【００１４】
この操作ノブによれば、アーム部に対して着脱可能であるので、釣人の好みやニーズに合わせて付け替えることができる。また、回り止め規制部によって、操作ノブをアーム部に対して回り止め規制された状態に固定することができる。
【発明の効果】
【００１５】
本発明の魚釣用リールによれば、釣人の好みやニーズに合わせた操作ノブに簡単に付け替えることができ、操作性の向上を図ることができる魚釣用リールが得られる。しかも、操作レバー全体を交換する必要がなく、操作ノブを付け替えるだけでよいので、安価である。また、回り止め規制部によって、アーム部に対して回り止め規制された状態に操作ノブを固定することができるので、操作時のガタつきや操作ノブのアーム部に対する緩みが防止され、好適な操作性を確保することができる。
【００１６】
また、回り止め規制部がアーム部と操作ノブとの連結部分に設けられた構成では、アーム部に操作ノブを連結する際に、回り止め規制部によってアーム部に操作ノブが回り止めされるので、別途回り止め規制のための特別な固定を行う必要がなく、組付性がよい。したがって、好適な操作性を確保しつつ、操作ノブの交換性に優れた魚釣用リールが得られる。
【００１７】
また、操作ノブの環状の凹部内に環状の弾性部材が係止される構成では、環状の弾性部材を用いて操作ノブに釣糸を係止することができるので、釣糸の取り回しがよく使い勝手に優れた魚釣用リールが得られる。また、弾性部材が操作ノブのすべり止めとして機能し、操作レバーの操作性が向上する。
【００１８】
また、アーム部と操作ノブとの間に弾性部材が挟持される構成では、弾性部材が操作ノブの軸方向に潰れる状態となって釣糸の保持力を増大させることができるので、操作レバーに釣糸をより好適に係止することができる。特に、使用する釣糸が細径である場合にも好適に係止することができる。また、弾性部材の反力によって、操作ノブの緩みが好適に抑制される。
【００１９】
また、本発明の魚釣用リールの操作ノブによれば、釣人の好みやニーズに合わせて簡単に付け替えることができ、操作性の向上を図ることができる。しかも、操作レバー全体を交換する必要がないので、安価である。また、操作ノブは、回り止め規制部によって、アーム部に対して回り止め規制された状態に固定することができるので、操作時のガタつきが防止され、好適な操作性を確保することができる。
【図面の簡単な説明】
【００２０】
【図１】本発明の第１実施形態に係る魚釣用リールの全体構成を示す縦断面図である。
【図２】（ａ）はクラッチレバーを示す拡大後面図、（ｂ）は（ａ）の縦断面図である。
【図３】（ａ）は操作ノブを示す拡大後面図、（ｂ）は拡大右側面である。
【図４】（ａ）はクラッチレバーの斜視図、（ｂ）はアーム部側から見たクラッチレバーの分解斜視図、（ｃ）は操作ノブ側から見たクラッチレバーの分解斜視図である。
【図５】（ａ）（ｂ）はクラッチレバー操作時の様子を示す説明図である。
【図６】本発明の第２実施形態に係る魚釣用リールの操作ノブを示す図であり、（ａ）は要部拡大縦断面図、（ｂ）は操作ノブ側から見たクラッチレバーの分解斜視図、（ｃ）は操作ノブに釣糸を掛けた状態を示す斜視図である。
【図７】本発明の第３実施形態に係る魚釣用リールの操作ノブを示す図であり、（ａ）は要部拡大縦断面図、（ｂ）はＯリングが配置される部分をさらに拡大した縦断面図、（ｃ）は操作ノブ側から見たクラッチレバーの分解斜視図、（ｄ）はアーム部側から見たクラッチレバーの斜視図である。
【図８】第１変形例の魚釣用リールの操作ノブを示す図であり、（ａ）は要部拡大縦断面図、（ｂ）はアーム部側から見たクラッチレバーの分解斜視図、（ｃ）は操作ノブ側から見たクラッチレバーの分解斜視図である。
【図９】第２変形例の魚釣用リールの操作ノブを示す図であり、（ａ）はアーム部側から見たクラッチレバーの分解斜視図、（ｂ）は操作ノブ側から見たクラッチレバーの分解斜視図である。
【図１０】第３変形例の魚釣用リールの操作ノブを示す図であり、（ａ）は要部拡大縦断面図、（ｂ）はアーム部側から見たクラッチレバーの分解斜視図、（ｃ）は操作ノブ側から見たクラッチレバーの分解斜視図である。
【図１１】第４変形例の魚釣用リールの操作ノブを示す図であり、（ａ）は要部拡大縦断面図、（ｂ）はアーム部側から見たクラッチレバーの分解斜視図、（ｃ）は操作ノブ側から見たクラッチレバーの分解斜視図である。
【図１２】第５変形例の魚釣用リールの操作ノブクラッチレバーを示す図であり、（ａ）はアーム部側から見たクラッチレバーの分解斜視図、（ｂ）は操作ノブ側から見たクラッチレバーの分解斜視図である。
【発明を実施するための形態】
【００２１】
以下、本発明に係る魚釣用リールの実施形態について図面を参照して説明する。以下の説明において、「上下」「左右」を言うときは、図１に示した方向を基準とする。また、以下では、操作ノブが設けられる操作レバーとして、リール本体の右側板に設けられたクラッチレバーを例にして説明するが、操作ノブが設けられる操作レバーをクラッチレバーに限定する趣旨ではなく、また、リール本体の右側板に設けられるものに限定する趣旨ではない。
【００２２】
（第１実施形態）
図１に示すように、魚釣用リールのリール本体１は、左右フレーム２ａ，２ｂと、これら左右フレーム２ａ，２ｂに装着される左右側板（外側板）３ａ，３ｂと、を備えている。左右フレーム２ａ，２ｂは、複数の支柱を介して一体化されており、下部の支柱には、リール脚２ｃが設けられている。リール脚２ｃは、図示しない釣竿のリールシートに装着される。左右フレーム２ａ，２ｂは、例えば、アルミニウム合金、マグネシウム合金等の金属材から形成されている。
【００２３】
左右フレーム２ａ，２ｂ間には、スプール軸５が軸受６ａ，６ｂを介して回転可能に支持されている。スプール軸５には、釣糸が巻回されるスプール５ａが取り付けられている。スプール５ａは、ハンドル７ａの回転操作に連動して回転する。ハンドル７ａは、右側板３ｂから突出したハンドル軸７の端部に取り付けられている。
【００２４】
右フレーム２ｂと右側板３ｂとの間には空間が形成され、この空間には、駆動機構１０、公知のドラグ機構１３およびクラッチ機構２０が配設されている。
駆動機構１０は、ハンドル７ａの回転運動をスプール軸５に伝達する。駆動機構１０は、駆動歯車１１と、この駆動歯車１１に噛合するピニオン１２とを備えている。駆動歯車１１は、釣糸巻き取り時にハンドル７ａが回転操作されると、ハンドル軸７の時計周りに回転する。また、駆動歯車１１は、ドラグ機構１３により付与されたドラグ力に抗して図示しない釣糸が引き出された際に、ハンドル軸７の反時計回りに回転する。ドラグ機構１３は、公知のように、駆動歯車１１に係合しており、駆動歯車１１に当接する複数の摩擦板１３ａを備えている。ドラグ機構１３は、魚釣時にスプール５ａから釣糸が繰り出された際にスプール５ａに所定のドラグ力を付与する。
ハンドル軸７の端部には、回動操作可能にドラグレバー１４が取り付けられている。ドラグレバー１４の回動操作で駆動歯車１１に対する圧接力が調節され、スプール５ａに対するドラグ力が調節される。
【００２５】
ハンドル軸７には、公知のように、右側板３ｂとの間に設けられた一方向クラッチ（楔作用を利用した転がり式一方向クラッチ）Ｋが装着されている。ハンドル軸７は、この一方向クラッチＫによって釣糸巻き取り方向の回転が許容され、釣糸繰り出しに伴う逆回転が防止されている。
【００２６】
ピニオン１２は、スプール軸５と同軸上に設置されており、ピニオン軸（スプール軸５であってもよい）１２ａに沿って軸方向に移動可能となっている。ピニオン軸１２ａは、スプール軸５と一体に設けられており、軸覆い部材３ｃの内面に当付くことで軸方向における移動が規制されている。そして、軸覆い部材３ｃが回動操作されることでピニオン軸１２ａに対して所定の押圧力がブレーキ力として付与されるように構成されている。
ピニオン１２は、駆動歯車１１の回転をスプール５ａ（スプール軸５）に伝達する部材である。ピニオン１２の外周には、円周溝１２ｂが形成されており、この円周溝１２ｂに、後記するクラッチ機構２０のヨーク２６が係合して、ピニオン１２を軸方向に移動させるように構成されている。すなわち、ピニオン１２が軸方向に移動することで、スプール軸５との間で継脱がなされ、クラッチＯＮ状態（動力伝達状態）／クラッチＯＦＦ状態（動力遮断状態）に切り換えられるように構成されている。
【００２７】
クラッチ機構２０は、スプール５ａを釣糸巻き取り状態と釣糸放出状態とに切り換えるものである。クラッチ機構２０は、クラッチプレート２５と、ヨーク２６と、支持部材２７と、クラッチレバー３０（操作レバー）と、を備えている。
クラッチプレート２５は、スプール軸５とピニオン１２とのクラッチ係合を係脱させて、スプール５ａへ伝達されるハンドル７ａの回転力（動力）を伝達／遮断するものである。
【００２８】
クラッチプレート２５は、右フレーム２ｂ上に支持部材２７を介して移動可能に設けられている。クラッチプレート２５は、公知のように、右側板３ｂに回動可能に振り分けばね（不図示）で振り分け付勢されているクラッチレバー３０の連結ピン２８１と、クラッチプレート２５の長孔２５１と、の係合によって、クラッチＯＮ位置（図１の位置）、およびクラッチＯＦＦ位置（不図示）に振り分け保持される。そして、クラッチプレート２５は、クラッチレバー３０の回動操作によって前記２つの位置を取り得るように構成されている。
【００２９】
ハンドル軸７には、クラッチ復帰用回転体となるラチェット７ｂが固定されている。クラッチＯＦＦ状態でハンドル７ａを巻き取り操作すると、ラチェット７ｂの回転によりクラッチ作動片（不図示）がクラッチＯＮ状態に振り分けられ、この振り分けによってクラッチプレート２５がクラッチＯＮ位置に自動的に復帰する。なお、クラッチＯＮ位置に復帰したクラッチ作動片は、振り分けばね（不図示）のばね力でそのままクラッチＯＮ状態に保持される。
なお、クラッチの復帰は、クラッチレバー３０を押し上げ操作することでも行うことが可能である。
【００３０】
クラッチレバー３０は、右側板３ｂに回動可能に取り付けられている。クラッチレバー３０はクラッチカム２８２を有している。クラッチカム２８２には連結ピン２８１が嵌入固定されている。
【００３１】
クラッチレバー３０は、図２（ａ）（ｂ）に示すように、アーム部３１と、操作ノブ３２と、固定ねじ３３とを備えている。アーム部３１と操作ノブ３２との連結部分には、アーム部３１と操作ノブ３２との回り止めを規制する回り止め規制部が設けられている。回り止め規制部は、アーム部３１側に設けられた受け部（取付部）３１ａと、操作ノブ３２側に設けられ、受け部３１ａに係合する係合突部３２ａとから構成されている。回り止め規制部の詳細は後記する。
【００３２】
アーム部３１の基端部３１１には、支持孔３１２が形成されている、支持孔３１２には、左側（右側板３ｂ側、図１参照）から支持軸（操作軸）２８３の先端部が挿入される。一方、支持孔３１２の右側（右側板３ｂと反対側）からは、固定ピン２８４が挿入される。固定ピン２８４は、支持孔３１２内において、支持軸２８３の先端凹部（不図示）に挿入され接着剤等によって固着される。これによって、アーム部３１に支持軸２８３が抜け止め固定されている。
【００３３】
アーム部３１の先端部には、回り止め規制部を構成する受け部３１ａが凹設されている。受け部３１ａは、図４（ｂ）（ｃ）に示すように、左右方向に貫通する孔であり、断面略小判形状に形成されている。受け部３１ａは、図４（ｃ）に示すように、一対の円弧面３１ｂ，３１ｂと、円弧面３１ｂ，３１ｂを繋ぐ平面３１ｃ，３１ｃとを備えている。受け部３１ａの左開口は、図４（ｃ）に示すように、アーム部３１の左側面に開口している。また、受け部３１ａの右開口は、図４（ｂ）に示すように、アーム部３１の右側面に形成された大径の開口部３１３内に開口している。大径の開口部３１３内には、固定ねじ３３の頭部が配置される。
なお、アーム部３１の胴部には空洞部３１５が形成されている。
【００３４】
操作ノブ３２は、図２（ａ）に示すように、アーム部３１の先端部の左側部に固定される。操作ノブ３２は、図４各図に示すように、略円柱状を呈している。操作ノブ３２の右側部には、図２（ｂ）、図３（ａ）（ｂ）に示すように、回り止め規制部を構成する係合突部３２ａが右側方に向けて突設されている。係合突部３２ａは、操作ノブ３２の中心軸に沿って突出しており、断面略小判形状を呈している。係合突部３２ａは、アーム部３１の受け部３１ａに対して係合可能であり、一対の円弧面３２ｂ，３２ｂと、円弧面３２ｂ，３２ｂを繋ぐ平面３２ｃ，３２ｃとを備えている。
【００３５】
操作ノブ３２には、図２（ｂ）、図３（ｂ）、図４（ｂ）（ｃ）に示すように、中心軸に沿うねじ穴３２ｄが形成されている。ねじ穴３２ｄは、係合突部３２ａの端面に開口している。ねじ穴３２ｄには、固定ねじ３３のねじ部３３ｄが螺合可能である。
【００３６】
操作ノブ３２の組み付けは、図４（ｂ）（ｃ）に示すように、アーム部３１の左右方向（アーム部３１の支持軸２３８の軸方向と同方向）から行う。すなわち、アーム部３１の受け部３１ａに、左側方から操作ノブ３２を近づけ、係合突部３２ａを受け部３１ａに係合する。その後、アーム部３１の右側方から固定ねじ３３を近づけ、開口部３１３を通じて操作ノブ３２のねじ穴３２ｄに固定ねじ３３のねじ部３３ｄを螺合する。そして、固定ねじ３３を締め付けることで、アーム部３１に操作ノブ３２が固定される。操作ノブ３２は、回り止め規制部によって軸周りに回動不能に固定される。また、操作ノブ３２は、軸方向においても、固定ねじ３３の締め付けによってアーム部３１にガタつきなく固定される。
【００３７】
図５にクラッチレバー操作時の様子を示す。図５（ａ）では、操作ノブ３２を操作する場合の親指Ｐの掛り具合を示している。クラッチレバー３０の回動操作時には、親指Ｐの腹Ｐ１の一部分を操作ノブ３２に掛けて、クラッチレバー３０をオンオフ位置に回動させることができる。この場合、操作ノブ３２の角部３２ｍに親指Ｐの腹Ｐ１の一部を押し当てるようにしたオンオフ操作も可能である。
なお、角部３２ｍは面取りされており、長時間、親指Ｐの腹Ｐ１を当て易くなっている。
【００３８】
また、図５（ｂ）では、図５（ａ）の操作ノブ３２よりも軸方向（左右方向）に長い操作ノブ３２Ａに付け替えた例を示している。この例では、親指Ｐの腹Ｐ１の略全体を操作ノブ３２に掛けるようにして、クラッチレバー３０を回動操作することが可能となる。この場合、操作ノブ３２Ａと親指Ｐとの接触面積が大きくなるので、その分、操作性が向上する。また、操作ノブ３２Ａが左右方向に延在して、リール本体１を握持する手のひら側に近づくこととなるので、比較的手の小さい釣人でも、リール本体１を握持したまま、クラッチレバー３０を容易に操作することが可能となる。
【００３９】
以上、本実施形態の魚釣用リールおよび魚釣用リールの操作ノブ３２によれば、釣人の好みやニーズに合わせた操作ノブ３２（３２Ａ）に簡単に付け替えることができ、操作性の向上を図ることができる。しかも、クラッチレバー３０の全体を交換する必要がなく、操作ノブ３２を付け替えるだけでよいので、安価である。また、回り止め規制部によって、アーム部３１に対して回り止め規制された状態に操作ノブ３２を固定することができるので、操作時のガタつきや操作ノブ３２のアーム部３１に対する緩みが防止され、好適な操作性を確保することができる。
【００４０】
また、アーム部３１に操作ノブ３２を連結する際に回り止め規制部によって操作ノブ３２が回り止め固定されるので、回り止め規制のための特別な固定を行う必要がなく、組付性がよい。したがって、好適な操作性を確保しつつ、操作ノブ３２の交換性に優れる。
【００４１】
また、アーム部３１に対して、操作ノブ３２および固定ねじ３３が左右方向から組み付けられる（左右方向と異なる上下方向からの組み付けを必要としない）ので、組み付けが簡単である。また、組み付け方向が一方向であるので、高い組付精度を要求されることがなく、生産性に優れる。したがって、操作ノブ３２を付け替え可能な構成でありながら、製造コストの増加抑制を図ることができる。
【００４２】
また、固定ねじ３３は、操作ノブ３２の軸方向に挿入されて螺合されるので、操作ノブ３２の長さに合わせて、固定ねじ３３のねじ部３３ｄを長くすることができる。したがって、操作ノブ３２を安定して支持することができる。また、固定ねじ３３のねじ部３３ｄを長くすることができるので、操作ノブ３２の取付強度の向上を図ることができる。このことは、操作性の向上に寄与する。
【００４３】
（第２実施形態）
図６を参照して第２実施形態の魚釣用リールに適用される操作ノブについて説明する。本実施形態が前記第１実施形態と異なるところは、操作ノブ３２の外周に環状の弾性部材としてのＯリング３５を装着した点にある。
【００４４】
操作ノブ３２の外周面には、環状の凹部（凹溝）３４が形成されている。凹部３４は、操作ノブ３２の先端部側（左端部側）に形成されている。凹部３４内には、２本のＯリング３５，３５が軸方向に並べて装着される。各Ｏリング３５は、凹部３４内から径方向に若干突出する（最外周部分が突出する）ように配置されている。つまり、釣人が操作ノブ３２に指を載せたときに、載せた指にＯリング３５，３５の感触が伝わるように、凹部３４の深さや、Ｏリング３５の太さが設定されている。
なお、Ｏリング３５は、凹部３４内において周方向に移動しないように、若干の張力をもって凹部３４内に装着されている。
【００４５】
本実施形態によれば、図６（ｃ）に示すように、Ｏリング３５を用いて操作ノブ３２に釣糸Ｌを係止することができる。これにより、釣糸Ｌの取り回しがよく使い勝手に優れた魚釣用リールが得られる。また、Ｏリング３５が操作ノブ３２を操作する際のすべり止めとして機能する。したがって、クラッチレバー３０の操作性が向上する。
【００４６】
なお、Ｏリング３５は軸方向に２本並べて配置したが、これに限られることはなく、１本でもよいし、３本以上配置してもよい。１本配置した場合には、凹部３４の側壁３４ａとＯリング３５との間に釣糸Ｌを係止することができる。なお、Ｏリング３５を２本以上配置した場合にも、凹部３４の側壁３４ａとＯリング３５との間に釣糸Ｌを係止することが可能である。
【００４７】
また、Ｏリング３５は、凹部３４内から径方向に若干突出する（最外周部分が突出する）ように配置したが、これに限られることはなく、凹部３４内に収まる状態に配置してもよい。
【００４８】
（第３実施形態）
図７を参照して第３実施形態の魚釣用リールに適用される操作ノブについて説明する。本実施形態が前記第１，第２実施形態と異なるところは、アーム部３１と操作ノブ３２との間に環状の弾性部材としてのＯリング３５を装着した点にある。
【００４９】
操作ノブ３２の右端部には、操作ノブ３２の外周面よりも小径とされた環状の段差面（凹部）３６が形成されている。段差面３６には、２本のＯリング３５，３５が軸方向に並べて装着可能である。段差面３６の軸方向の長さは、Ｏリング３５を軸方向に２本並べた太さの合計（Ｏリング２本分の大きさ）よりも短くなるように設定されている。したがって、図７（ａ）に示すように、アーム部３１に操作ノブ３２を取り付けて、アーム部３１の左側面３１ｆに操作ノブ３２の端面３２ｆが当接した状態では、図７（ｂ）に示すように、Ｏリング３５，３５が、アーム部３１と操作ノブ３２との間に挟持される。つまり、Ｏリング３５，３５は、アーム部３１の左側面３１ｆと、操作ノブ３２の段差面３６に連続する側面３６ａと、の間に挟持された状態となり、軸方向に弾力をもって潰れる状態となる。
【００５０】
本実施形態によれば、図７（ｄ）に示すように、Ｏリング３５を用いて釣糸Ｌを係止することができる。これにより、釣糸Ｌの取り回しがよく使い勝手に優れた魚釣用リールが得られる。また、Ｏリング３５が軸方向に潰れる状態となって釣糸Ｌの保持力を増大させることができるので、クラッチレバー３０に釣糸Ｌをより好適に係止することができる。特に、使用する釣糸Ｌが細径である場合にも好適に係止することができる。また、挟持されるＯリング３５の反力によって、操作ノブ３２の緩みが好適に抑制される。
【００５１】
次に、本発明の変形例について図８〜図１２を参照して説明する。
図８に示す第１変形例は、前記第１実施形態で説明した回り止め規制部の構成をアーム部３１と操作ノブ３２とで逆に配置したものである。すなわち、アーム部３１側に係合突部３１ａ１が設けられ、操作ノブ３２側に受け部３２ａ１が設けられている。アーム部３１の係合突部３１ａ１は、操作ノブ３２の受け部３２ａ１に係合可能である。
【００５２】
この第１変形例においても、アーム部３１に操作ノブ３２を連結する際に、回り止め規制部によってアーム部３１に操作ノブ３２が回り止め固定される。
【００５３】
図９に示す第２変形例は、アーム部３１に設けられる受け部３１ａ２を略正方形状に形成し、操作ノブ３２に設けられる係合突部３２ａ２を受け部３１ａ２に対応して略正方形状の突部として形成したものである。受け部３１ａ２の各内面３１ｃ２は、係合突部３２ａ２の各外面３２ｃ２に対応している。
【００５４】
第２変形例の操作ノブ３２には、一対の平面部３２ｇ，３２ｇが形成されている。一対の平面部３２ｇ，３２ｇは、係合突部３２ａ２の対応する外面３２ｃ２，３２ｃ２に平行である。
【００５５】
この第２変形例では、操作ノブ３２を軸周りに回動させて付け替えることができ、操作時に指を掛ける位置に平面部３２ｇが位置するようにすることができる。この場合、平面部３２ｇに指を掛けてクラッチレバー３０を操作できるので、異なる操作感を演出することができ、釣人のニーズに対応することができる。
【００５６】
図１０に示す第３変形例は、操作ノブ３２側からアーム部３１側に固定ねじ３３を螺合するように構成したものである。操作ノブ３２には、固定ねじ３３の頭部が収まる凹部３２ｈやねじ部３３ｄが挿通される挿通孔３２ｄ１が形成されている。アーム部３１には、ねじ穴３１ｄが形成されている。
【００５７】
この第３変形例においても、アーム部３１に操作ノブ３２を連結する際に、回り止め規制部によってアーム部３１に操作ノブ３２が回り止め固定される。また、アーム部３１に対して左側から操作ノブ３２および固定ねじ３３を組み付けることができるので、着脱が行い易い。
【００５８】
図１１に示す第４変形例は、前記第３変形例と同様に操作ノブ３２側からアーム部３１側に固定ねじ３３を螺合するように構成したものである。回り止め規制部は、前記第１変形例と同様にアーム部３１側に係合突部３１ａ１が設けられ、操作ノブ３２側に受け部３２ａ１が設けられている。
【００５９】
係合突部３１ａ１には、円筒状の支軸部３１ｅが設けられている。操作ノブ３２には、支軸部３１ｅに支持される円筒面３２ｈ１が形成されている。
【００６０】
この第４変形例では、アーム部３１の支軸部３１ｅを介して操作ノブ３２が支持されるので、操作ノブ３２の支持剛性が向上する。支持剛性の向上は、操作性の向上に寄与する。
【００６１】
図１２に示す第５変形例は、前記第２変形例と同様に操作ノブ３２を軸周りに回動させて付け替えることができるものであり、操作ノブ３２に湾曲状に切り欠いた指載せ面３２ｊを形成したものである。
【００６２】
この第５変形例では、指載せ面３２ｊが上側にくるように、アーム部３１に操作ノブ３２を固定すれば、指載せ面３２ｊに指を載置して操作することが可能なクラッチレバー３０とすることができる。また、これとは逆に、指載せ面３２ｊを下側にして、円弧部３２ｋが上側にくるように固定すれば、円柱状の操作ノブ３２に類似した操作感とすることができる。
【００６３】
以上、本発明の実施形態について説明したが、本発明は、上記した実施形態や変形例に限定されることはなく、種々変形することが可能である。
例えば、前記第１実施形態〜第３実施形態、前記各変形例において、アーム部３１、操作ノブ３２，３２Ａ、固定ねじ３３の全体または適所に、色彩を付してもよい。この場合、目立つ色彩を付すことによって、操作ノブ３２の目視が容易となり、操作性が向上する。
【００６４】
また、前記第１実施形態〜第３実施形態、前記各変形例において、操作ノブ３２，３２Ａの軸は、左右方向に延在するものとして、スプール軸５（ハンドル軸７）と平行に配置したものを示したが、これに限られることはなく、スプール軸５（ハンドル軸７）に対して上下方向、前後方向に角度を持たせて、略左右方向に延在するように配置してもよい。
このように構成することによって、操作ノブ３２，３２Ａの配置バリエーションが増え、釣人のニーズに好適に対応した魚釣用リールとすることができる。
【００６５】
また、前記第２実施形態および前記第３実施形態において、環状の弾性部材として断面丸形のＯリング３５を示したが、これに限られることはなく、釣糸Ｌを係止することが可能な断面形状であれば、角形等の種々の形状のものを採用することができる。また、釣糸Ｌを係止することが可能な溝部等が予め形成された環状の弾性部材を用いてもよい。
【００６６】
また、前記第１実施形態〜第３実施形態、前記各変形例において、操作ノブ３２，３２Ａは、円柱形状を基本形状としたものを示したが、これに限られることはなく、球状、四角柱形状、多角柱形状、円筒形状、中空形状等、種々の形状のものを採用することができる。また、操作ノブ３２は、実施形態や変形例で示したものに比べて大径に形成してもよいし、小径に形成してもよい。さらに、操作ノブ３２は、大径部とこれよりも小径とされた小径部とを併せ備えていてもよい。
【符号の説明】
【００６７】
１      リール本体
３ａ    左側板（外側板）
３ｂ    右側板（外側板）
３１    アーム部
３２    操作ノブ
３３    固定ねじ
３１ａ  係合突部（回り止め規制部）
３２ａ  受け部（回り止め規制部）
３５    Ｏリング（環状の弾性部材）
【図１】
0006405254.tif 000002
【図２】
0006405254.tif 000003
【図３】
0006405254.tif 000004
【図４】
0006405254.tif 000005
【図５】
0006405254.tif 000006
【図６】
0006405254.tif 000007
【図７】
0006405254.tif 000008
【図８】
0006405254.tif 000009
【図９】
0006405254.tif 000010
【図１０】
0006405254.tif 000011
【図１１】
0006405254.tif 000012
【図１２】
0006405254.tif 000013